(57)【要約】UE(200)は、Measurement Reportの報告対象へのエンタリング条件に基づいて、Measurement Reportを無線アクセスネットワークに送信する。UE(200)は、無線アクセスネットワークへの送信トリガとなるnumberOfTriggeringCellを判定し、当該エンタリング条件を満たす近隣セルのセル数がnumberOfTriggeringCell以上の場合、Measurement Reportを送信する。
2018143240.tif 000002
【特許請求の範囲】
【請求項１】
サービングセル及び近隣セルの受信品質を含む測定報告を無線アクセスネットワークに送信するユーザ装置であって、
前記測定報告の対象へのエンタリング条件に基づいて、前記測定報告を前記無線アクセスネットワークに送信する測定報告送信部と、
前記無線アクセスネットワークへの前記測定報告の送信トリガとなるトリガセル数を判定するセル数判定部と
を備え、
前記測定報告送信部は、前記エンタリング条件を満たす前記近隣セルのセル数が前記トリガセル数以上の場合、前記測定報告を送信するユーザ装置。
【請求項２】
前記測定報告送信部は、
前記測定報告の対象からのリービング条件を満たす前記近隣セルのセル数が前記トリガセル数以上の場合、前記測定報告を送信する請求項１に記載のユーザ装置。
【請求項３】
前記トリガセル数は、前記サービングセルの前記受信品質と、前記近隣セルの前記受信品質との比較に基づく前記エンタリング条件を満足するか否かによって決定される請求項１に記載のユーザ装置。
【請求項４】
前記トリガセル数は、前記サービングセルの前記受信品質と、前記近隣セルの前記受信品質との比較に基づく前記リービング条件を満足するか否かによって決定される請求項２に記載のユーザ装置。
【請求項５】
前記トリガセル数は、前記測定報告の最大報告セル数よりも小さい請求項１乃至４の何れか一項に記載のユーザ装置。
【請求項６】
前記セル数判定部は、前記送信トリガの条件を規定する情報要素を前記無線アクセスネットワークから受信し、
前記情報要素は、前記トリガセル数を含む請求項１乃至５の何れか一項に記載のユーザ装置。
【請求項７】
サービングセル及び近隣セルの受信品質を含む測定報告を無線アクセスネットワークに送信する測定報告送信方法であって、
前記測定報告の報告対象へのエンタリング条件に基づいて、前記測定報告を前記無線アクセスネットワークに送信するステップと、
前記無線アクセスネットワークへの送信トリガとなるトリガセル数を判定するステップと
を含み、
前記送信するステップでは、前記エンタリング条件を満たす前記近隣セルのセル数が前記トリガセル数以上の場合、前記測定報告を送信する測定報告送信方法。
【発明の詳細な説明】
【技術分野】
【０００１】
本発明は、サービングセル及び近隣セルの受信品質の測定報告を無線アクセスネットワークに報告するユーザ装置及び測定報告送信方法に関する。
【背景技術】
【０００２】
3rd Generation Partnership Project（3GPP）は、Long Term Evolution（LTE）を仕様化し、LTEの更なる高速化を目的としてLTE-Advanced（以下、LTE-Advancedを含めてLTEという）を仕様化している。【０００３】
LTEでは、ユーザ装置（UE）が、サービングセル（無線リソース制御（RRC）レイヤにおける接続状態（RRC Connected）のセル）、及びサービングセルの近隣に形成される近隣セルの受信品質（RSRP/RSRQ（Reference Signal Received Power/Reference Signal Received Quality）など）の測定結果を含むMeasurement Reportを無線アクセスネットワーク（E-UTRAN）、具体的には、無線基地局（eNB））に送信することができる（非特許文献１参照）。【０００４】
このようなMeasurement Reportingでは、サービングセルの受信品質と、近隣セルの受信品質とを比較するイベント（A3, A5, A6）が規定されている。UEは、当該イベント毎に規定されているエンタリング条件（entering condition）、つまり、無線アクセスネットワークへの測定報告の報告対象とするか否かを判定する条件を満たす場合、当該測定報告を含むMeasurement ReportをeNBに送信する。【０００５】
また、当該イベントのエンタリング条件を満たした後、エンタリング条件を満たさなくなった場合（つまり、リービング条件（leaving condition）を満たした場合）も、UEは、Measurement ReportをeNBに送信することができる。
【先行技術文献】
【非特許文献】
【０００６】
【非特許文献１】3GPP TS 36.331 V14.0.0 Subclause 6.3.5 Measurement information elements, 3rd Generation Partnership Project; Technical Specification Group Radio Access Network; Evolved Universal Terrestrial Radio Access (E-UTRA); Radio Resource Control (RRC); Protocol specification (Release 14)、3GPP、2016年9月
【発明の概要】
【０００７】
ところで、昨今、ドローンなどの小型の無人飛行物体にUEを搭載することが行われつつある。このようなUEでは、通常のUEと異なり、enB（セル）の上空を飛行するため、ビルなどの遮蔽物の影響を受け難く、伝播環境が見通しとなり易い。つまり、このようなUEは、サービングセル（自セル）以外の複数の近隣セルに対して干渉を与え易い問題がある。
【０００８】
そこで、このような干渉を無線アクセスネットワーク側で検知し、他セルへのハンドオーバなどの適切な措置を行うため、上述したMeasurement Reportingの仕組みを利用することが考えられる。既存のMeasurement Reportingでは、エンタリング条件を満たした複数の近隣セルの測定報告を同時に実行できる。
【０００９】
しかしながら、既存のMeasurement Reportingでは、一つの近隣セルがエンタリング条件（またはリービング条件）を満たした場合、Measurement Reportingがトリガされる。
このため、伝播環境が見通しになり易いドローン搭載のUEは、無線アクセスネットワークが期待する、エンタリング条件を満たした複数の近隣セルの測定報告を得るまで、頻繁にMeasurement Reportingをトリガする可能性が高く、無線リソースを激しく消費することが懸念される。
【００１０】
そこで、本発明は、このような状況に鑑みてなされたものであり、ドローンに搭載される場合など、伝播環境が見通しになり易い場合でも、無線リソースの消費を抑制した適切な測定報告を実現し得るユーザ装置及び測定報告送信方法の提供を目的とする。
【００１１】
本発明の一態様に係るユーザ装置は、サービングセル及び近隣セルの受信品質を含む測定報告を無線アクセスネットワークに送信する。前記ユーザ装置は、前記測定報告の対象へのエンタリング条件に基づいて、前記測定報告を前記無線アクセスネットワークに送信する測定報告送信部と、前記無線アクセスネットワークへの前記測定報告の送信トリガとなるトリガセル数を判定するセル数判定部とを備える。前記測定報告送信部は、前記エンタリング条件を満たす前記近隣セルのセル数が前記トリガセル数以上の場合、前記測定報告を送信する。
【００１２】
本発明の一態様に係る測定報告送信方法は、サービングセル及び近隣セルの受信品質を含む測定報告を無線アクセスネットワークに送信する。前記測定報告送信方法は、前記測定報告の報告対象へのエンタリング条件に基づいて、前記測定報告を前記無線アクセスネットワークに送信するステップと、前記無線アクセスネットワークへの送信トリガとなるトリガセル数を判定するステップとを含み、前記送信するステップでは、前記エンタリング条件を満たす前記近隣セルのセル数が前記トリガセル数以上の場合、前記測定報告を送信する。
【図面の簡単な説明】
【００１３】
【図１】図１は、無線通信システム10の全体概略構成図である。
【図２】図２は、UE200の機能ブロック構成図である。
【図３】図３は、UE200による測定報告の送信動作フローを示す図である。
【図４】図４は、eNB100とUE200との測定報告の送信に関する通信シーケンスを示す図である。
【図５】図５は、ReportConfigEUTRAの例を示す図である。
【図６】図６は、ReportConfigEUTRAのフィールド説明（一部）を示す図である。
【図７】図７は、サービングセル及び近隣セルのRSRP/RSRQの遷移例を示す図である。
【図８】図８は、UE200のハードウェア構成の一例を示す図である。
【発明を実施するための形態】
【００１４】
以下、実施形態を図面に基づいて説明する。なお、同一の機能や構成には、同一または類似の符号を付して、その説明を適宜省略する。
【００１５】
（１）無線通信システムの全体概略構成
図１は、本実施形態に係る無線通信システム10の全体概略構成図である。無線通信システム10は、Long Term Evolution（LTE）に従った無線通信システムであり、無線アクセスネットワーク20及び移動局200（以下、UE200）を含む。
【００１６】
無線アクセスネットワーク20は、3GPPにおいて規定されるEvolved Universal Terrestrial Radio Access Network（E-UTRAN）であり、無線基地局100（以下、eNB100）を含む。
なお、無線通信システム10は、必ずしもLTE（E-UTRAN）に限定されない。例えば、無線アクセスネットワーク20は、5Gとして規定されるUE200（ユーザ装置）と無線通信を実行する無線基地局を含む無線アクセスネットワークであってもよい。
【００１７】
eNB100及びUE200は、LTEの仕様に従った無線通信を実行する。特に、本実施形態では、複数のeNB100は、セルC10, C21〜C26を形成する。また、UE200は、ドローン50などの小型の無人飛行物体に搭載される。
【００１８】
ここでは、UE200は、セルC10をサービングセルとしているものとする。つまり、サービングセルであるセルC10の近隣に、セルC21〜C26が形成されている。なお、サービングセルは、PCellまたはPSCell（Dual Connectivityの場合）と呼ばれてもよい。
【００１９】
また、UE200は、サービングセル及び近隣セルの受信品質（RSRP/RSRQなど）を含むMeasurement Reportを無線アクセスネットワーク20に送信する。
【００２０】
（２）無線通信システムの機能ブロック構成
次に、無線通信システム10の機能ブロック構成について説明する。具体的には、UE200の機能ブロック構成について説明する。
【００２１】
図２は、UE200の機能ブロック構成図である。図２に示すように、UE200は、受信品質測定部110、セル数判定部120及び測定報告送信部130を備える。
【００２２】
受信品質測定部110は、UE200のサービングセル及び近隣セルの受信品質を測定する。具体的には、受信品質測定部110は、無線アクセスネットワーク20から通知された受信品質の測定形式（MeasConfig）に従って、サービングセル及び近隣セルのRSRP/RSRQなどの受信品質を測定する。
【００２３】
セル数判定部120は、無線アクセスネットワーク20へのMeasurement Reportの送信トリガとなるトリガセル数を判定する。
【００２４】
具体的には、セル数判定部120は、当該送信トリガの条件を規定する情報要素（IE）であるReportConfigEUTRAを無線アクセスネットワーク20から受信する。ReportConfigEUTRAは、RRC Connection Reconfigurationに含まれる。
ReportConfigEUTRAは、トリガセル数を示すnumberOfTriggeringCellのフィールドを含む。
【００２５】
トリガセル数（numberOfTriggeringCell）は、サービングセルの受信品質と、近隣セルの受信品質との比較に基づくエンタリング条件またはリービング条件を満足するか否かによって決定される。エンタリング条件は、当該セルの受信品質をMeasurement Reportの報告対象に含めるか否かを規定する。リービング条件は、当該セルの受信品質をMeasurement Reportの報告対象から離脱させるか否かを規定する。
【００２６】
具体的には、numberOfTriggeringCellは、3GPP TS36.331の6.3.5章において規定されるイベントA3, A5, A6のエンタリング条件またはリービング条件に基づいて決定される。イベントA3, A5, A6は、以下のように規定されている。
【００２７】
Event A3: Neighbour becomes amount of offset better than PCell/ PSCell
Event A5: PCell/ PSCell becomes worse than absolute threshold1 AND Neighbour
becomes better than another absolute threshold2
Event A6: Neighbour becomes amount of offset better than SCell
また、numberOfTriggeringCellは、Measurement Reportの最大報告セル数（maxReportCells）よりも小さい値に設定される。
【００２８】
測定報告送信部130は、Measurement Reportを無線アクセスネットワーク20に送信する。具体的には、測定報告送信部130は、Measurement Reportの対象へのエンタリング条件に基づいて、Measurement Reportを無線アクセスネットワーク20に送信する。測定報告送信部130は、エンタリング条件を満たした場合、当該セルの受信品質を含むMeasurement Reportを送信する。
【００２９】
ここで、測定報告送信部130は、エンタリング条件を満たす近隣セルのセル数がトリガセル数（numberOfTriggeringCell）以上の場合、Measurement Reportを送信することができる。
【００３０】
また、測定報告送信部130は、Measurement Reportの対象からのリービング条件を満たす近隣セルのセル数がトリガセル数以上の場合、Measurement Reportを送信することができる。
測定報告送信部130は、リービング条件を満たした場合、当該セルが当該イベントの条件を満たさなくなったことにより、測定報告対象から、当該セルを除外してMeasurement Reportを送信する。
【００３１】
（３）無線通信システムの動作
次に、無線通信システム10の動作について説明する。具体的には、UE200による測定報告の送信動作について説明する。上述したように、本実施形態では、UE200は、ドローン50に搭載されており、伝播環境が見通しとなり易い。
【００３２】
図３は、UE200による測定報告の送信動作フローを示す。また、図４は、eNB100とUE200との測定報告の送信に関する通信シーケンスを示す。
【００３３】
図３に示すように、UE200は、ReportConfigEUTRAを受信する（S10）。具体的には、図４に示すように、UE200は、ReportConfigEUTRAが含まれるRRC Connection Reconfigurationを受信する（S100）。
【００３４】
図５は、本実施形態に係るReportConfigEUTRAの例を示す。また、図６は、ReportConfigEUTRAのフィールド説明（一部）を示す。
【００３５】
図５及び図６に示すように、ReportConfigEUTRAには、トリガセル数を示すnumberOfTriggeringCell（図５及び図６の下線部参照）が含まれている。numberOfTriggeringCellは、2以上の数値、つまり、２つ以上の近隣セルが規定される。また、numberOfTriggeringCellは、maxReportCells（最大報告セル数）よりも小さい値が設定される。
【００３６】
UE200は、トリガセル数を示すnumberOfTriggeringCellがReportConfigEUTRAに含まれているか否かを判定する（S20）。
【００３７】
numberOfTriggeringCellが含まれていない場合、UE200は、通常のMeasConfigに従って、サービングセル及び近隣セルの受信品質を測定する（図３のS30、図４のS110）。UE200は、エンタリング条件（またはリービング条件）を満たす新たなセルが検出されたか否かを判定する（図３のS40）。
【００３８】
numberOfTriggeringCellが含まれている場合も、UE200は、通常のMeasConfigと同様にサービングセル及び近隣セルの受信品質を測定する（図３のS31、図４のS110）。UE200は、エンタリング条件（またはリービング条件）を満たす新たなセルが検出されたか否かを判定する（図３のS41）。但し、numberOfTriggeringCellが含まれている場合、numberOfTriggeringCellで指定されたトリガセル数（例えば、2以上）の新たなセルを検出したか否かをさらに判定する（S50）。
【００３９】
なお、3GPP TS36.331の5.5.4章では、numberOfTriggeringCellを用いたエンタリング条件に関して、例えば、以下のように表現できる。特に、「3>」及び「4>」の部分が新規に
規定された部分である。
【００４０】
2> if the triggerType is set to event and if the entry condition applicable for this event, i.e.:
3> if the corresponding reportConfig includes numberOfTriggeringCell:
4> the event corresponding with the eventId of the corresponding reportConfig within VarMeasConfig, is fulfilled for the number of applicable cells indicated in numberOfTriggeringCell for all measurements after layer 3 filtering taken during timeToTrigger defined for this event within the VarMeasConfig, while the VarMeasReportList does not include an measurement reporting entry for this measId
(a first cell triggers the event);
また、numberOfTriggeringCellを用いたリービング条件に関して、例えば、以下のように表現できる。
【００４１】
2> if the triggerType is set to event and if the leaving condition applicable for this event is fulfilled for the number of the cells indicated in numberOfTriggeringCell included in the cellsTriggeredList defined within the VarMeasReportList for this measId for all measurements after layer 3 filtering taken during timeToTrigger defined within the VarMeasConfig for this event:
新たなセルが検出された場合、或いはnumberOfTriggeringCellで指定されたトリガセル数（例えば、2以上）の新たなセルが検出された場合、UE200は、測定報告（MeasurementReport）を無線アクセスネットワーク20、具体的には、eNB100に送信する（図３のS60、図４のS120）。
【００４２】
（４）作用・効果
上述した実施形態によれば、以下の作用効果が得られる。図７は、サービングセル及び近隣セルのRSRP/RSRQの遷移例を示す。
【００４３】
図７に示す例では、サービングセルのRSRP/RSRQと、近隣セルのRSRP/RSRQとのレベル差が3dB以下になるとエンタリング条件、つまり、無線アクセスネットワーク20への報告対象のセルとなる条件が満たされ、当該近隣セルが報告対象となる。
【００４４】
通常のMeasurement Reportingでは、サービングセルと、それぞれの近隣セルとの当該レベル差が3dB以下になると、それぞれのタイミング（図中のt1, t2）において、UE200は、Measurement Reportを無線アクセスネットワーク20（eNB100）に送信する。
【００４５】
一方、上述したnumberOfTriggeringCell（図７では、値が「3」に設定されている例）が適用される場合、t1, t2のタイミングでは、Measurement Reportは送信されず、3つの近隣セルの当該レベル差が3dB以下となったタイミング（t3）において、UE200は、Measurement Reportを送信する。
【００４６】
つまり、UE200は、複数の近隣セルがイベント（A3, A5, A6）のエンタリング条件／リービング条件を同時に満たした場合、Measurement Reportをトリガする。
【００４７】
これにより、UE200が送信するMeasurement Report数を大幅に削減することができ、無線リソースの消費を抑制し得る。特に、ドローン50に搭載されているUE200のように、伝播環境が見通しになり易く、多くの近隣セルの受信品質がエンタリング条件を満たす可能性が高い場合でも、効果的にMeasurement Report数を削減できる。
【００４８】
また、UE200によれば、Measurement Reportを適切なタイミングで無線アクセスネットワーク20に報告できるため、ドローン50に搭載されているUE200のように、近隣セルへの干渉を与え易い場合でも、無線アクセスネットワーク20は、他セルへのハンドオーバなどの干渉防止策を確実に実行できる。
【００４９】
本実施形態では、numberOfTriggeringCellは、エンタリング条件だけでなく、リービング条件にも適用される。このため、さらに効果的にMeasurement Report数を削減できる。
【００５０】
本実施形態では、numberOfTriggeringCellは、サービングセルの受信品質と、近隣セルの受信品質との比較、具体的には、イベント（A3, A5, A6）に基づくエンタリング条件を満足するか否かによって決定される。このため、無線アクセスネットワーク20は、Measurement Reportを削減しつつも、UE200が送信する無線信号が干渉を与える可能性のある近隣セルを確実に認識できる。
【００５１】
本実施形態では、numberOfTriggeringCellは、Measurement ReportのmaxReportCells（最大報告セル数）よりも小さい。このため、既存のMeasurement Reportの仕組みを利用しつつ、Measurement Report数を削減できる。
【００５２】
本実施形態では、UE200は、Measurement Reportの送信トリガの条件を規定するReportConfigEUTRA（情報要素）を無線アクセスネットワーク20から受信し、ReportConfigEUTRAは、numberOfTriggeringCellを含む。このため、Measurement Report数の送信頻度を無線アクセスネットワーク20主導で制御できる。
【００５３】
（５）その他の実施形態
以上、実施形態に沿って本発明の内容を説明したが、本発明はこれらの記載に限定されるものではなく、種々の変形及び改良が可能であることは、当業者には自明である。
【００５４】
例えば、上述した実施形態では、UE200がドローン50に搭載されていたが、UE200は、必ずしもドローン50のような飛行物体に搭載されていなくても構わない。つまり、本発明は、スマートフィンのような一般的なユーザ装置にも勿論適用し得る。
【００５５】
また、上述した実施形態の説明に用いたブロック図（図２）は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【００５６】
さらに、上述したUE200は、本発明の測定報告送信方法の処理を行うコンピュータとして機能してもよい。図８は、UE200のハードウェア構成の一例を示す図である。図８に示すように、UE200は、プロセッサ1001、メモリ1002、ストレージ1003、通信装置1004、入力装置1005、出力装置1006及びバス1007などを含むコンピュータ装置として構成されてもよい。
【００５７】
UE200の各機能ブロック（図２参照）は、当該コンピュータ装置の何れかのハードウェア要素、または当該ハードウェア要素の組み合わせによって実現される。
【００５８】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【００５９】
メモリ1002は、コンピュータ読み取り可能な記録媒体であり、例えば、ROM（Read
Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【００６０】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【００６１】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【００６２】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【００６３】
また、プロセッサ1001及びメモリ1002などの各装置は、情報を通信するためのバス1007で接続される。バス1007は、単一のバスで構成されてもよいし、装置間で異なるバスで構成されてもよい。
【００６４】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【００６５】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【００６６】
上述した実施形態におけるシーケンス及びフローチャートなどは、矛盾の無い限り、順序を入れ替えてもよい。
【００６７】
また、上述した実施形態において、eNB100によって行われるとした特定動作は、他のネットワークノード（装置）によって行われることもある。また、複数の他のネットワークノードの組み合わせによってeNB100の機能が提供されても構わない。
【００６８】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【００６９】
さらに、パラメータなどは、絶対値で表されてもよいし、所定の値からの相対値で表されてもよいし、対応する別の情報で表されてもよい。例えば、無線リソースはインデックスで指示されるものであってもよい。
【００７０】
eNB100（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【００７１】
「セル」または「セクタ」という用語は、このカバレッジにおいて通信サービスを行う基地局、及び／または基地局サブシステムのカバレッジエリアの一部または全体を指す。
さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【００７２】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７４】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【００７５】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【００７６】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【００７７】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【００７８】
上述したように、本発明によれば、ドローンに搭載される場合など、伝播環境が見通しになり易い場合でも、無線リソースの消費を抑制した適切な測定報告を実現し得るため、有用である。
【符号の説明】
【００７９】
10  無線通信システム
20  無線アクセスネットワーク
50  ドローン
100  eNB
110  受信品質測定部
120  セル数判定部
130  測定報告送信部
200  UE
C10, C21〜C26  セル
1001  プロセッサ
1002  メモリ
1003  ストレージ
1004  通信装置
1005  入力装置
1006  出力装置
1007  バス
【図１】
2018143240.tif 000003
【図２】
2018143240.tif 000004
【図３】
2018143240.tif 000005
【図４】
2018143240.tif 000006
【図５】
2018143240.tif 000007
【図６】
2018143240.tif 000008
【図７】
2018143240.tif 000009
【図８】
2018143240.tif 000010
【国際調査報告】
2018143240.tif 000011
2018143240.tif 000012